(57)【要約】      （修正有）【課題】輝点ムラを抑えるとともに、副走査方向の拡散を最小限に抑えて読取面の照度低下を防ぐことができる画像読取装置を提供する。【解決手段】導光板の出射面に、主走査方向には光を高散させ且つ副走査方向には光を低拡散させる楕円拡散部材を取り付けるとともに、ＬＥＤのピッチ間隔ａ、導光板の長さｂと屈折率ｎ、楕円拡散部材から結像レンズまでの距離Ｌ及び楕円拡散部材の主走査方向の拡散特性Ｔが次式：2011114762.tif 000012ここで、ψ(a)=sin−１(ｎ×sin(tan−１(am/b)))，ξ(a)=sin−１(ｎ×sin(tan−１(a(2m-1)/2b)))，Ａ＝ｂ×tan(sin−１(1/n))，ｍ＝１，２，３…，を満足するようにする。【選択図】なし【特許請求の範囲】
【請求項１】
複数の発光素子を主走査方向に列状に配置して成る光源と、該光源からの出射光を原稿面に導くための導光板と、原稿からの反射光を結像させる結像レンズと、該結像レンズによって結像された像を電気信号に変換する撮像素子を備えた画像読取装置において、
前記導光板の出射面に、主走査方向には光を高散させ且つ副走査方向には光を低拡散させる楕円拡散部材を取り付けるとともに、前記発光素子のピッチ間隔ａ、前記導光板の長さｂと屈折率ｎ、前記楕円拡散部材から前記結像レンズまでの距離Ｌ及び前記楕円拡散部材の主走査方向の拡散特性Ｔが次式：
【数１】
2011114762.tif 000011
ここで、ψ(a)=sin−１(ｎ×sin(tan−１(am/b))) 
ξ(a)=sin−１(ｎ×sin(tan−１(a(2m-1)/2b))) 
Ａ＝ｂ×tan(sin−１(1/n)) 
ｍ＝１，２，３…
を満足することを特徴とする画像読取装置。
【請求項２】
前記楕円拡散部材の主走査方向の拡散特性Ｔは、主走査中心付近で輝点ムラを１０％以内に抑えることができる中で最小の拡散広がりを持つことを特徴とする画像読取装置。
【請求項３】
請求項１又は２記載の画像読取装置を備えることを特徴とする画像形成装置。
【発明の詳細な説明】
【技術分野】
【０００１】
本発明は、ＬＥＤ等の複数の発光素子を主走査方向に配列して成る光源からの出射光によって原稿画像を読み取る画像読取装置とこれを備えた複写機やプリンタ等の画像形成装置に関するものである。
【背景技術】
【０００２】
電子写真方式によって用紙に画像を形成する複写機やプリンタ等の画像形成装置には原稿画像を光学的に読み取るための画像読取装置が備えられているが、この画像読取装置は、一般的には光源やミラー等を備えた光学系キャリッジを有しており、この光学系キャリッジを箱状構造体である光学フレーム内で副走査方向に移動させることによって、ＣＣＤ等の撮像素子にて原稿画像を読み取るよう構成されている。
【０００３】
ところで、近年、斯かる画像読取装置の光源には、立ち上がり時間が短く、省エネルギ化と長寿命化が可能なＬＥＤ（発光ダイオード）が採用されつつある。この場合、高い原稿面照度を確保するために複数のＬＥＤがＬＥＤ基板上に主走査方向に列状に実装される（例えば、特許文献１参照）。
【０００４】
点光源である複数のＬＥＤをＬＥＤ基板上に主走査方向に列状に実装して成る光源を使用する場合、原稿が正反射する性質がある正反射部材では、該原稿からの反射光は原稿面で拡散しないで正反射光となり、或る一定角度の正反射光しか結像レンズに入射せず、読取画像に輝点のような点状の出力が発生する。
【０００５】
そこで、特許文献２には、複数個のＬＥＤを列設して形成されたＬＥＤアレイを備えて原稿を照明する照明装置において、ＬＥＤアレイと原稿面との間に導光板を配置するとともに、該導光板の出射面と原稿面との間に、導光板からの光を拡散させる光拡散部材を配置する構成が提案されている。
【先行技術文献】
【特許文献】
【０００６】
【特許文献１】特開２００２−３１４７６０号公報
【特許文献２】特開２００８−１８０８４１号公報
【発明の概要】
【発明が解決しようとする課題】
【０００７】
しかしながら、特許文献２において提案されているように光拡散部材を導光板の出射面と原稿面との間に配置しても、ＬＥＤのピッチ間隔、導光板の長さと屈折率、光拡散部材から結像レンズまでの距離及び光拡散部材の主走査方向の拡散特性によっては輝点が発生してしまう場合がある。
【０００８】
基本的には、主走査方向において高拡散特性を示す光拡散部材を用いると輝点の発生を抑えることができるが、副走査方向にも光が広がってしまうために読取面の照度が低下してしまう。従って、主走査方向には高拡散し、副走査方向には低拡散しかしない楕円拡散部材を用いると副走査方向の拡散は減少し、読取面の照度低下を防ぐことができる。
【０００９】
本発明は上記問題に鑑みてなされたもので、その目的とする処は、輝点ムラを１０％以内に抑えることができるとともに、副走査方向の拡散を最小限に抑えて読取面の照度低下を防ぐことができる画像読取装置及びこれを備えた画像形成装置を提供することにある。
【課題を解決するための手段】
【００１０】
上記目的を達成するため、請求項１記載の発明は、複数の発光素子を主走査方向に列状に配置して成る光源と、該光源からの出射光を原稿面に導くための導光板と、原稿からの反射光を結像させる結像レンズと、該結像レンズによって結像された像を電気信号に変換する撮像素子を備えた画像読取装置において、
前記導光板の出射面に、主走査方向には光を高散させ且つ副走査方向には光を低拡散させる楕円拡散部材を取り付けるとともに、前記発光素子のピッチ間隔ａ、前記導光板の長さｂと屈折率ｎ、前記楕円拡散部材から前記結像レンズまでの距離Ｌ及び前記楕円拡散部材の主走査方向の拡散特性Ｔが次式：
【００１１】
【数１】
2011114762.tif 000002
ここで、ψ(a)=sin−１(ｎ×sin(tan−１(am/b))) 
ξ(a)=sin−１(ｎ×sin(tan−１(a(2m-1)/2b))) 
Ａ＝ｂ×tan(sin−１(1/n)) 
ｍ＝１，２，３…
を満足することを特徴とする。
【００１２】
請求項２記載の発明は、請求項１記載の発明において、前記楕円拡散部材の主走査方向の拡散特性Ｔは、主走査中心付近で輝点ムラを１０％以内に抑えることができる中で最小の拡散広がりを持つことを特徴とする。
【００１３】
請求項３記載の画像形成装置は、請求項１又は２記載の画像読取装置を備えることを特徴とする。
【発明の効果】
【００１４】
本発明によれば、前記（数１）を満足することによってＬＥＤの直上の輝点強度分布と２つのＬＥＤの間の輝点強度分布の差が１０％以内に抑えることができるため、輝点ムラも１０％以内に抑えることができるとともに、副走査方向の拡散を最小限に抑えて読取面の照度低下を防ぐことができる。
【図面の簡単な説明】
【００１５】
【図１】本発明に係る画像形成装置（複合機）の縦断面図である。
【図２】本発明に係る画像読取装置の副走査方向断面図である。
【図３】本発明に係る画像読取装置の照明部の副走査方向断面図である。
【図４】楕円拡散部材を設けない場合の原稿読取位置での濃度（照度）の主走査方向分布を示す図である。
【図５】楕円拡散部材を設け設けた場合のＬＥＤ単体の輝点強度分布を示す図である。
【図６】ＬＥＤからの出射光の照射角及び屈折角θ、α、φの関係を示す図である。
【図７】各ＬＥＤのＸ位置及びＹ位置に入射する光線を示す図である。
【図８】隣接するＬＥＤ間に入射する光線を示す図である。
【図９】本発明に係る画像読取装置によって得られる画像濃度の主走査方向分布を示す図である。
【発明を実施するための形態】
【００１６】
以下に本発明の実施の形態を添付図面に基づいて説明する。
【００１７】
［画像形成装置］
図１は本発明に係る画像形成装置の縦断面図であり、図示の画像形成装置１は、複写機能とプリンタ機能及びファクシミリ機能を兼備した複合機であって、用紙の両面に画像を形成することができる装置である。
【００１８】
画像形成装置１は、装置本体２とその上部に配された自動原稿搬送装置（ＡＤＦ）３及び本発明に係る画像読取装置４を備えており、装置本体２の内部上方には、画像形成部５が配され、装置本体２内の下半部には用紙収納部６が配されている。又、装置本体２内の画像形成部５と用紙収納部６の間には転写搬送ユニット７と両面搬送ユニット８が配されており、転写搬送ユニット７には反転手段を構成する反転ローラ３６と反転コロ３７が備えられている。
【００１９】
上記画像読取装置４は、原稿画像を光学的に読み取るための装置であって、その構成の詳細は後述する。
【００２０】
前記画像形成部５は、電子写真方式によって画像を形成するものであって、回転可能に配された像担持体としての感光ドラム９と、その周囲に配された帯電器１０、現像装置１１、転写ローラ１２及びクリーニング装置１３の他、現像装置１１に現像剤であるトナーを補給するためのトナーホッパー１４を備えている。尚、画像形成部５の横には、走査光学手段であるレーザースキャナユニット（ＬＳＵ）１５が配置されている。
【００２１】
前記用紙収納部６は、複数枚の用紙が積層収容された着脱可能な４つの給紙カセット１６，１７，１８，１９を備えており、各給紙カセット１６〜１９の近傍には、各給紙カセット１６〜１９内の用紙を上位のものから順次取り出すピックローラ２０と、取り出された用紙を１枚ずつ分離して送り出すフィードローラ２１とリタードローラ２２がそれぞれ配設されている。又、バイパストレイ２３の近傍には、バイパス搬送手段としてのピックローラ２０、フィードローラ２１、リタードローラ２２及び搬送ローラ２４が設けられている。尚、図１において２５，２６，２７は搬送ローラである。
【００２２】
前記転写搬送ユニット７は、用紙収納部６から送り出された用紙を適当なタイミングで画像形成部５へと搬送するとともに、画像形成部５において画像が形成された用紙を不図示の排紙トレイへと排出するものであって、用紙収納部６から画像形成部５に至る第１搬送経路Ｓ１に配置されたレジストローラ２８、前記転写ローラ１２、画像形成部５から排紙手段としての後述の排紙ローラ３１に至る第２搬送経路Ｓ２に設けられた定着装置２９と搬送ローラ３０及び排紙ローラ３１を備えている。ここて、定着装置２９は、圧接状態で互いに回転する定着ローラ２９ａと加圧ローラ２９ｂを備えている。
【００２３】
又、転写搬送ユニット７は画像形成装置本体２に対して着脱可能であって、該転写搬送ユニット７には、第２搬送経路Ｓ２から分岐して両面搬送ユニット８の反転ローラ３６と反転コロ３７に至る横Ｕ字状の第３搬送経路Ｓ３が設けられており、その途中には搬送ローラ３２が設けられている。又、転写搬送ユニット７には前記第３搬送経路Ｓ３とは別に反転搬送経路Ｓ３’が第２搬送経路Ｓ２から分岐して下方に延びており、その途中には搬送ローラ３３が設けられている。そして、第２搬送経路Ｓ２と第３搬送経路Ｓ３との分岐部には、用紙の搬送方向を切り換えるためのフラッパ３４が回動可能に設けられている。
【００２４】
前記両面搬送ユニット８は、画像形成部５において画像が形成された用紙の表裏を反転させるものであって、前記第３搬送経路Ｓ３と反転搬送経路Ｓ３’に連なる中間トレイ３５とその下方に配された第４搬送経路Ｓ４を備えており、中間トレイ３５には、正逆転可能な反転ローラ３６と、該反転ローラ３６に対して圧接／離間する反転コロ３７が設けられている。
【００２５】
又、両面搬送ユニット８には大径の再給紙ローラ３８が回転可能に設けられており、この再給紙ローラ３８の外周には小径のローラ３９，４０が回転可能に当接している。尚、再給紙ローラ３８には不図示の一方向クラッチが設けられている。そして、反転手段を構成する前記反転ローラ３６と反転コロ３７からは第４搬送経路Ｓ４が延びており、この第４搬送経路Ｓ４は前記第１搬送経路Ｓ１に合流している。
【００２６】
上記第４搬送経路Ｓ４には、互いに当接する搬送ローラ４２と搬送コロ４１が用紙搬送方向に沿って３組設けられている。又、再給紙ローラ３８の近傍には、中間トレイ３５に一旦引き込まれた用紙の搬送方向を切り換えるためのフラッパ４３が回動可能に設けられている。尚、本実施の形態では、両面搬送ユニット８の第４搬送経路Ｓ４には、２枚以上の用紙を保留可能な２つ以上の用紙保留位置が備えられている。
【００２７】
［画像読取装置］
ここで、本発明に係る前記画像読取装置４の構成を図２及び図３に基づいて説明する。
【００２８】
図２は本発明に係る画像読取装置の副走査方向断面図、図３は同画像読取装置の照明部の副走査方向断面図であり、図２に示すように、画像読取装置４は、筐体を構成する箱状構造体である光学フレーム４４を備えており、この光学フレーム４４の上面にはコンタクトガラス４ａが設けられている。
【００２９】
又、光学フレーム４４の内部には、コンタクトガラス４ａ上に載置された原稿Ｇに向けて光を照射して該原稿Ｇを照明する照明部４５と、原稿Ｇにて反射した照射光を９０°方向に反射させる第１反射ミラー４６とで構成される第１キャリッジ４７と、第１反射ミラー４６にて反射した反射光を９０°方向に反射させる第２反射ミラー４８と、該第２反射ミラー４８にて反射した反射光を更に９０°方向に反射させる第３反射ミラー４９とで構成される第２キャリッジ５０が不図示のガイドレールに沿って副走査方向（図２の左右方向）に移動可能に収容されている。
【００３０】
更に、光学フレーム４４の内部には結像レンズ５１と撮像素子であるＣＣＤ５２が収容されており、前記第３反射ミラー４９にて反射した原稿Ｇからの反射光は、結像レンズ５１によって収束した後にＣＣＤ５２に入射し、該ＣＣＤ５２上に結像される。
【００３１】
ところで、前記照明部４５は、図３に示すように、ＬＥＤ基板５３上に主走査方向（図３の紙面垂直方向）に列状（アレイ状）に配設された発光素子である複数のＬＥＤ５４を光源とするものであって、ＬＥＤ５４の光出射方向前方には導光板５５が配置されており、この導光板５５の出射面には楕円拡散部材５６が取り付けられている。尚、導光板５５は透明樹脂又はガラスによって構成されている。又、楕円拡散部材５６は、主走査方向には光を高散させ、副走査方向には光を低拡散させる機能を有するものである。
【００３２】
ここで、図４に楕円拡散部材５６を設けない場合の原稿読取位置での濃度（照度）の主走査方向分布を示すが、同図に示すように、輝点はＬＥＤ５４の直上にだけ発生し、主走査方向においてＬＥＤ５４のピッチ間隔毎に輝点が発生している。
【００３３】
ところが、図３に示すように導光板５５の出射面に楕円拡散部材５６を取り付けると、導光板５５の出射面上において複数のＬＥＤ５４間を透過する光がレンズに入射するように屈折するため、ＬＥＤ５４単体の場合の主走査方向の輝点強度分布は、ＬＥＤ５４の設置位置においてピーク値を示し、そこから遠ざかるに従ってなだらかに低下する山形を示す。
【００３４】
楕円拡散部材５６を設け設けた場合のＬＥＤ５４単体の輝点強度分布が図５に示すようになだらかな山形となることから、輝点のピーク位置としてはＬＥＤ５４の直上又は隣接するＬＥＤ５４の輝点強度分布との重なりが最も大きくなる２つのＬＥＤ５４の間になる。従って、ＬＥＤ５４の直上の輝点強度分布と２つのＬＥＤ５４の間の輝点強度分布の差が１０％以内であれば輝点ムラも１０％以内に抑えることができる。
【００３５】
ところで、輝点強度分布は、
（ＬＥＤの出射光強度ｃｏｓθ）×（楕円拡散部材の透過率Ｔ（φ））
となる。ここで、θはＬＥＤ５４からの光の出射角、φは楕円拡散部材５６に入射する光と楕円拡散部材５６から出射する光とが成す角度である（図６参照）。
【００３６】
従って、主走査方向中心位置にあるＬＥＤ５４（図７に示すようにＬＥＤ（０）とする）単体が及ぼす該ＬＥＤ５４（ＬＥＤ（０））の直上（Ｘ位置）での輝点の強度は、
ｃｏｓθ×Ｔ（φ）＝ｃｏｓ（０）×Ｔ（０）  （光線Ｌ１）
となる（図７参照）。
【００３７】
又、ＬＥＤ５４のピッチ間隔をａ、導光板５５の長さと屈折率をそれぞれｂ，ｎ、導光板５５から結像レンズ５１間での距離をＬとすると、主走査方向中心位置にあるＬＥＤ（０）単体が及ぼすＬＥＤ（０）とＬＥＤ（−１）の間の位置（Ｙ位置）での輝点強度は、
【００３８】
【数２】
2011114762.tif 000003
となる（図８参照）。
【００３９】
主走査中心位置にあるＬＥＤ（０）から主走査マイナス側（図７の左側）にあるＬＥＤ（−１），ＬＥＤ（−２），…が及ぼすＸ位置での輝点強度は、
【００４０】
【数３】
2011114762.tif 000004
となる。
【００４１】
主走査中心位置にあるＬＥＤ（０）から主走査マイナス側にあるＬＥＤ（−１），ＬＥＤ（−２），…が及ぼすＹ位置での輝点強度は、
【００４２】
【数４】
2011114762.tif 000005
となる。
【００４３】
同様に、主走査中心位置にあるＬＥＤ（０）から主走査プラス側（図７の右側）にあるＬＥＤ（１），ＬＥＤ（２），…が及ぼすＸ位置での輝点強度は、
【００４４】
【数５】
2011114762.tif 000006
となる。
【００４５】
主走査中心位置にあるＬＥＤ（０）から主走査プラス側にあるＬＥＤ（１），ＬＥＤ（２），…が及ぼすＹ位置での輝点強度は、
【００４６】
【数６】
2011114762.tif 000007
となる。
【００４７】
よって、Ｘ位置での輝点強度の合計は、
【００４８】
【数７】
2011114762.tif 000008
となり、Ｙ位置での輝点強度の合計は、
【００４９】
【数８】
2011114762.tif 000009
となる。
従って、（数１）及び（数２）と同様の次式：
【００５０】
【数９】
2011114762.tif 000010
ここで、ψ(a)=sin−１(ｎ×sin(tan−１(am/b))) 
ξ(a)=sin−１(ｎ×sin(tan−１(a(2m-1)/2b))) 
Ａ＝ｂ×tan(sin−１(1/n)) 
を満たせば、つまり、ＬＥＤ５４の直上の輝点強度分布と２つのＬＥＤ５４の間の輝点強度分布の差が１０％以内であれば輝点ムラも１０％以内に抑えることができる。
図９に（数９）を満足するときの輝点発生の様子を示すが、同図より輝点ムラが１０％以内に抑えられていることが分かる。尚、本実施の形態では、楕円拡散部材５６の主走査方向の拡散特性Ｔは、主走査中心付近で輝点ムラを１０％以内に抑えることができる中で最小の拡散広がりを有している。
【００５１】
従って、本発明に係る画像読取装置４によれば、輝点ムラを１０％以内に抑えることができるとともに、副走査方向の拡散を最小限に抑えて読取面の照度低下を防ぐことができるという効果が得られる。
【００５２】
［画像形成動作］
次に、以上の画像読取装置を備えた図１に示す画像形成装置１の画像形成動作について説明する。
【００５３】
例えば、自動原稿搬送装置３の原稿トレイ３ａにセットされた原稿Ｇが原稿読取部であるコンタクトガラス４ａ上に自動的に搬送され、その原稿Ｇの画像が画像読取装置４によって光学的に読み取られる。即ち、第１キャリッジ４７と第２キャリッジ５０が不図示のガイドレールに沿って副走査方向（図１の左右方向）に移動しながらコンタクトガラス４ａ上に載置された原稿Ｇを走査すると、第１キャリッジ４７のＬＥＤ５４から導光板５５及び楕円拡散部材５６を通過して出射する光が原稿を走査し、原稿Ｇにて反射した反射光は第１キャリッジ４７の第１反射ミラー４６にて９０°方向に反射する。そして、この光は、第２キャリッジ５０の第２反射ミラー４８と第３反射ミラー４９にて９０°方向にそれぞれ反射し、結像レンズ５１によって収束した後にＣＣＤ５２に入射し、該ＣＣＤ５２によって読み取られて電気信号に変換される。
【００５４】
上述のようにして原稿Ｇの画像が画像読取装置４によって光学的に読み取られると、画像形成部５においては、感光ドラム９が不図示の駆動手段によって図１の矢印方向（時計方向）に回転駆動され、その表面が帯電器１０によって所定の電位に一様に帯電される。そして、画像読取装置４から送信される電気信号に基づくレーザー光がレーザースキャナユニット１５から出力されて感光ドラム９上に照射されると、該感光ドラム９上に静電潜像が形成される。そして、この感光ドラム９上に形成された静電潜像は、現像装置１１によってトナーを用いて現像されてトナー像として可視像化される。
【００５５】
ところで、カセット給紙を行う場合、用紙収納部６の例えば給紙カセット１６内に収容された用紙は、ピックローラ２０によって最上位のものからピックアップされ、フィードローラ２１とリタードローラ２２によって１枚ずつ分離されて搬送ローラ２５，２６によって第１搬送経路路Ｓ１をレジストローラ２８へと搬送される。そして、レジストローラ２８においては、用紙は、一時待機状態とされた後、感光ドラム９上のトナー像に同期する所定のタイミングで画像形成部５へと供給される。
【００５６】
画像形成部５においては、感光ドラム９と転写ローラ１２との間の転写ニップへと供給された用紙は、転写ローラ１２によって感光ドラム９に押し付けられながら搬送されることによって、その表面（第１面）に感光ドラム９上のトナー像が転写される。そして、トナー像が転写された用紙は、定着装置２９へと搬送され、この定着装置２９の定着ローラ２９ａと加圧ローラ２９ｂ間の定着ニップを通過する過程で加熱及び加圧されてトナー像の定着を受ける。尚、用紙へのトナー像の転写後に感光ドラム９の表面に残留するトナー（転写残トナー）はクリーニング装置１３によって除去され、表面が清掃された感光ドラム９は次の画像形成動作に備えられる。
【００５７】
而して、定着装置２９にて表面にトナー像が定着された用紙は、フェースアップ排紙（ＦＵ排紙）が選択されている場合には、フラッパ３４によってその搬送方向が決定され、用紙は第２搬送経路Ｓ２をそのまま排紙ローラ３１に向かって搬送され、排紙ローラ３１によって画像面を上にして不図示の排紙トレイへと排出される。
【００５８】
一方、フェースダウン排紙（ＦＤ排紙）又は両面画像モードが選択された場合には、フラッパ３４が動作して用紙の搬送方向が切り換えられ、定着装置２９を通過した用紙は横Ｕ字状の第３搬送経路Ｓ３を通って両面搬送ユニット８へと搬送される。
【００５９】
両面搬送ユニット８においては、反転コロ３７は反転ローラ３６から離間した状態で待機しており、用紙が両面搬送ユニット８に或る一定以上送られると、反転コロ３７は反転ローラ３６に圧接される。このように反転コロ３７が反転ローラ３６に圧接されると、反転ローラ３６が正転されて用紙が送られてきた方向に引き込まれ、用紙が或る一定以上引き込まれると反転ローラ３６が逆転されて用紙がスイッチバックされて反転搬送経路Ｓ３又は第４搬送経路Ｓ４へと送られる。即ち、フェースダウン排紙が選択されている場合には、フラッパ４３によって用紙の搬送方向が反転搬送経路Ｓ３へと切り換えられ、用紙は画像面を下にした状態で排紙ローラ３１によって不図示の排紙トレイへと排出される。
【００６０】
又、両面画像モードが選択されている場合には、フラッパ４３によって用紙の搬送方向が第４面搬送経路Ｓ４の方向に切り換えられ、用紙は、再給紙ローラ３８と反転コロ４１及び搬送ローラ４２によって第４搬送経路Ｓ４を画像面を上にして搬送され、第４搬送経路Ｓ４から第１搬送経路Ｓ１へと受け渡されることによって表裏が反転されて画像面を下にした状態でレジストローラ２８へと送られる。そして、以後は前述と同様のプロセスを経て用紙の反対面（第２面）にトナー像が形成され、このトナー像が形成された用紙は、定着装置２９によってトナー像の定着を受けた後に排紙ローラ対３１によって不図示の排紙トレイへと排出され、該用紙の両面に画像が形成される。
【００６１】
尚、以上はカセット給紙を行う場合について説明したが、手差し給紙を行う場合には、バイパストレイ２３上にセットされた用紙は、ピックローラ２０によって最上位のものから１枚ずつピックアップされ、フィードローラ２１とリタードローラ２２によって１枚ずつ分離されて搬送ローラ２４によって第１搬送経路Ｓ１をレジストローラ２８へと搬送され、以後は前記と同様のプロセスを経て該用紙に画像が形成される。
【００６２】
尚、本実施の形態では、本発明を複合機及びこれに備えられた画像読取装置に対して適用した例について説明したが、本発明は、単体としての複写機、プリンタ、ファクシミリ等の他の任意の画像形成装置及びこれに備えられた画像読取装置に対しても同様に適用可能であることは勿論である。
【符号の説明】
【００６３】
１            画像形成装置
２            画像形成装置本体
３            自動原稿搬送装置
３ａ          原稿トレイ
４            画像読取装置
４ａ          コンタクトガラス
５            画像形成部
６            用紙収納部
７            転写搬送ユニット
８            両面搬送ユニット
９            感光ドラム
１０          帯電器
１１          現像装置
１２          転写ローラ
１３          クリーニング装置
１４          トナーホッパー
１５          レーザースキャナユニット（ＬＳＵ）
１６〜１９    給紙カセット
２０          ピックローラ
２１          フィードローラ
２２          リタードローラ
２３          バイパストレイ
２４〜２７    搬送ローラ
２８          レジストローラ
２９          定着装置
２９ａ        定着ローラ
２９ｂ        加圧ローラ
３０          搬送ローラ
３１          排紙ローラ
３２，３３    搬送ローラ
３４          フラッパ
３５          中間トレイ
３６          反転ローラ
３７          反転コロ
３８          再給紙ローラ
３９，４０    ローラ
４１          搬送コロ
４２          搬送ローラ
４３          フラッパ
４４          光学フレーム
４５          照明部
４６          第１反射ミラー
４７          第１キャリッジ
４８          第２反射ミラー
４９          第３反射ミラー
５０          第２キャリッジ
５１          結像レンズ
５２          ＣＣＤ（撮像素子）
５３          ＬＥＤ基板
５４          ＬＥＤ（光学素子）
５５          導光板
５６          楕円拡散部材
ａ            ＬＥＤのピッチ間隔
ｂ            導光板の長さ
Ｇ            原稿
Ｌ            導光板から結像レンズまでの距離
ｎ            導光板の屈折率
Ｓ１          第１搬送経路
Ｓ２          第２搬送経路
Ｓ３          第３搬送経路
Ｓ３’        反転搬送経路
Ｓ４          第４搬送経路
【図１】
2011114762.tif 000013
【図２】
2011114762.tif 000014
【図３】
2011114762.tif 000015
【図４】
2011114762.tif 000016
【図５】
2011114762.tif 000017
【図６】
2011114762.tif 000018
【図７】
2011114762.tif 000019
【図８】
2011114762.tif 000020
【図９】
2011114762.tif 000021